(57)【特許請求の範囲】
【請求項１】
本体ケース内に、上面を開口した有底筒状のチャンバーを収納すると共に、上記本体ケースの上部に、上記チャンバーの開口を開閉する蓋を上下方向に開閉自在に枢支したものにおいて、上記本体ケースの上部に、蓋のロック金具に係脱自在に係止するフックを設けると共に、上記蓋の前端部に、手を挿入する挿入溝を形成した取手を設け、かつ上記挿入溝内に手によって前後方向にスライド操作する摺動レバーを装着し、この摺動レバーと上記フックを連動し、摺動レバーのスライド操作によりフックとロック金具との係合を解除する様に構成した事を特徴とする高圧蒸気滅菌器。
【請求項２】
上記フックの上端を本体ケースの上面より突出し、上記蓋の閉蓋時には上端部が蓋内に挿入して上記ロック金具に係合する様に構成すると共に、上記摺動レバーに、フックの上端部に係合してロック金具との係合を解除するスライド板を連結した事を特徴とする、上記請求項１に記載の高圧蒸気滅菌器。
【請求項３】
上記スライド板の適所の係入孔を穿孔すると共に、プランジャー軸を上記係入孔内に係脱自在に構成した電磁ソレノイドを設け、運転時には上記プランジャー軸を係入孔内に係入して摺動レバーをロックする様に構成した事を特徴とする、上記請求項２に記載の高圧蒸気滅菌器。
【請求項４】
上記摺動レバーを、略コ字状で同一形状の一対のレバー体の先端を接合することで形成した事を特徴とする、上記請求項１〜３に記載の高圧蒸気滅菌器。
【発明の詳細な説明】
【技術分野】
【０００１】
本発明は、主に病院等に設置して、医療用器具等の被滅菌物を高温高圧蒸気により滅菌処理を行う高圧蒸気滅菌器に関する。
【背景技術】
【０００２】
滅菌器本体内に、上面を開口した有底筒状のチャンバーを収容し、このチャンバー内に医療用器具を収納した後、チャンバー内に高圧蒸気を発生させて医療用器具を滅菌処理するものでは、例えば特許文献１に示される様に、滅菌器本体の前面底部に足踏み式のペダルを設け、このペダルの操作によって蓋を開く様に構成したものがある。
【特許文献１】特開２００５−６９２７号公報
【発明の開示】
【発明が解決しようとする課題】
【０００３】
一方、上記特許文献１の構成では、足によるペダルの操作により蓋を開くことが可能となり、蓋の開成操作に手による操作が不要となり、操作性が高められる反面、ペダルと蓋をロックする爪とを連動させる機構が複雑となり、部品点数の増加によるコストアップを招くという問題がある。
【０００４】
そこで本発明は、比較的簡単な構成にて、かつ比較的簡単な操作で蓋の開閉操作を行う事を目的とするものである。
【課題を解決するための手段】
【０００５】
本発明の請求項１の構成は、本体ケース内に、上面を開口した有底筒状のチャンバーを収納すると共に、本体ケースの上部にチャンバーの開口を開閉する蓋を上下方向に開閉自在に枢支したものにおいて、本体ケースの上部に、蓋のロック金具に係脱自在に係止するフックを設けると共に、蓋の前端部に手を挿入する挿入溝を形成した取手を設け、かつ挿入溝内に手によって前後方向にスライド操作する摺動レバーを装着し、この摺動レバーとフックを連動し、摺動レバーのスライド操作によりフックとロック金具との係合を解除する様に構成して成るものである。
【０００６】
本発明の請求項２の構成は、請求項１の構成において、フックの上端を本体ケースの上面より突出し、蓋の閉蓋時には上端部が蓋内に挿入してロック金具に係合する様に構成すると共に、摺動レバーに、フックの上端部に係合してロック金具との係合を解除するスライド板を連結したものである。
【０００７】
本発明の請求項３の構成は、請求項２の構成において、スライド板の適所の係入孔を穿孔すると共に、プランジャー軸を係入孔内に係脱自在に構成した電磁ソレノイドを設け、運転時にはプランジャー軸を係入孔内に係入して摺動レバーをロックする様に構成したものである。
【０００８】
本発明の請求項４の構成は、請求項１〜３の構成において、摺動レバーを、略コ字状で同一形状の一対のレバー体の先端を接合することで形成したものである。
【発明の効果】
【０００９】
本発明の請求項１に記載の構成により、蓋の前端部に挿入溝を形成した取手を設けると共に、この挿入溝内に摺動レバーを装着し、挿入レバーのスライド操作によって蓋を本体ケースにロックするロック金具を解除する様に構成したことで、蓋の開閉操作とロックの解除操作を同時に行うことが可能となり、比較的簡単に構成にて操作性を向上する事が出来るものである。
【００１０】
本発明の請求項２に記載の構成により、摺動レバーに連結したスライド板により、フックとロック金具の係合を解除する様に構成したことで、比較的簡単で部品点数の少ない構成にて蓋のロック解除を行うことが可能となり、部品点数の削減によるコストダウンを図る事が出来るものである。
【００１１】
本発明の請求項３に記載の構成により、スライド板に電磁ソレノイドのプランジャー軸が係入する係入孔を設けたことで、スライド板を利用して、運転時等のチャンバー内が高圧時には摺動レバーのスライド操作を阻止して蓋の開成操作を防止し、簡単な構成にて安全性を確保する事が出来るものである。
【００１２】
本発明の請求項４に記載の構成により、摺動レバーを同じ形状のレバー体の組み合わせにより形成する様に構成したことで、摺動レバーを製造するための金型費用の削減によるコストダウンを図る事が出来るものである。
【発明を実施するための最良の形態】
【００１３】
本発明による実施例を先ず図１に基づき説明すると、１は器具本体で、本体ケース２の上部に蓋３を上下方向に開閉自在に枢支していると共に、上記本体ケース２の底には移動用のキャスター４・・と排水タンク５を装着している。尚、上記蓋３はその後端部に装着した図示しないヒンジにより枢支している。
【００１４】
又上記本体ケース２には、上面を開口６した有底円筒状のチャンバー７を収納していると共に、このチャンバー内の底にヒータを装着し、図示しない給水手段によりチャンバー７の底に所定量の水を給水した後、ヒータに通電して水を蒸発し、チャンバー７内に飽和蒸気を発生し、チャンバー内に収納した医療用器具等の被滅菌物を滅菌処理する様に構成している。
【００１５】
更に、上記蓋３の上面手前には操作部８を装着し、この操作部には各種表示器９・・や操作キー１０・・を配置していると共に、蓋３上面の操作部８後方は蓋カバー１１で被覆している。
【００１６】
一方、上記蓋３の前面には、図２にても示す様に、内部に手等を挿入する挿入溝１２を形成した略コ字状の取手１３を装着していると共に、この取手の挿入溝１２内には摺動レバー１４を前後方向に摺動自在に収納している。
【００１７】
１５，１５は、図３にても示す様に、上記本体ケース２内のチャンバー７より手前の上部に回転軸１６にて前後方向に回転自在に枢支した左右一対のフックで、上端部に一体に形成した鉤状の係止爪１７，１７を、本体ケース２の上面板１８を貫通して上方に突設していると共に、スプリング１９により上記係止爪１７，１７の形成方向に回転付勢されている。
【００１８】
上記蓋３内には、図４にても示す様に上記チャンバー７の開口６を開閉自在に密閉するチャンバー蓋２０を収容していると共に、このチャンバー蓋の前側側面には、上記フック１５，１５の係止爪１７，１７に対向位置してこの係止爪が着脱自在に係合するロック金具２１，２１を溶接等により一体的に固定している。
【００１９】
これにより、取手１３を持って蓋３を閉じると、スプリング１９の付勢によりフック１５，１５の係止爪１７，１７がロック金具２１に係合し、蓋３を閉成状態に確実にロックするものである。
【００２０】
一方、上記取手１３は、図２にも示す様に蓋３の底面を閉塞する底板２２に固定した固定板２３の前板２４，２４にビス等により固定され、かつ固定板２３には滅菌運転中等に上記摺動レバー１４のスライド操作を阻止する電磁ソレノイド２５を固定している。
【００２１】
又、上記摺動レバー１４の後端面には、図４にても示す様にスライド板２６の前端を連結していると共に、このスライド板の後端には、上記フック１５，１５の係止爪１７，１７に近接した適所に突設した解除軸２７に、スプリング１９によるフック１５，１５の付勢方向のみ係止する掛止片２８を折曲形成し、これにより、蓋３を完全に閉塞してフック１５，１５の係止爪１７，１７がロック金具２１に係合時に摺動レバー１４を手前側に摺動操作すると、スライド板２６が手前に摺動してその掛止片２８が解除軸２７に係止してフック１５，１５を回動操作し、係止爪１７，１７とロック金具２１との係合を解除して蓋３を開成出来るものである。
【００２２】
更に、上記スライド板２６には、図５にても示す様に電磁ソレノイド２５のプランジャー軸２９に対向位置して係入孔３０を穿孔した立上片３１を一体に折曲形成し、図６にて示す様に蓋３が完全に閉塞してフック１５，１５の係止爪１７，１７がロック金具２１に係合時には、係入孔３０がプランジャー軸２９の先端に対向位置し、この時滅菌運転が開始されると、電磁ソレノイド２５に通電されてプランジャー軸２９が係入孔３０内に係入して、スライド板２６並びに摺動レバー１４のスライド操作を阻止して蓋３の開成が行えない様に構成している。
【００２３】
これらの構成により、蓋３の取手１３付近に蓋のロックやロックを解除する部品を集中して配置することで、部品点数の削減によるコストダウンを図る事が出来ると共に、組み立て時の作業性を向上させる事が出来るものである。
【００２４】
尚、上記実施例では電磁ソレノイド２５を通電時にプランジャー軸２９が係入孔３０内に係入する様に構成しているが、これに限定されることなく、非通電時に係入する様に構成しても良い。
【００２５】
一方、上記摺動レバー１４は、樹脂にて成型した略コ字状で同一形状のレバー体３２，３２を、これらの先端３３・・を互いに接合して構成しており、これにより成型用の金型費用の削減によるコストダウンを図る事が出来る。
【００２６】
又、上記摺動レバー１４は、前方に位置するレバー体３２と取手１３との間に装着したスプリング３４，３４によって、上記係入孔３０がプランジャー軸２９に対向位置する方向に常時付勢している。
【００２７】
尚、上記スライド板２６の掛止片２８下端部には、蓋３を閉じる場合に誤って摺動レバー１４が握られてスライド板２６が前方にスライド操作されても、その下端部が解除軸２７に当接してこれよりも後方に位置する様なガイド片３５を、後方に傾斜して折曲形成している。
【００２８】
而して、蓋３の閉成時には、図６にても示す様にスプリング１９の付勢によりフック１５，１５が回転付勢され、その係止爪１７，１７がロック金具２１，２１に係合し、蓋３を閉成状態にロックしている。この時滅菌運転が開始されると、電磁ソレノイド２５に通電されてプランジャー軸２９が係入孔３０内に係入し、摺動レバー１４のスライド操作による蓋３の開成操作を阻止する。
【００２９】
一方、滅菌運転や乾燥運転の終了や、何らかの理由による運転の中断操作等により電磁ソレノイド２５への通電が停止され、プランジャー軸２９が係入孔３０より外れると、取手１３を握ると同時に摺動レバー１４を手前にスライド操作することで、図４にて示す様にスライド板２６が摺動レバー１４によりスライド操作されてその掛止片２８が解除軸２７に係止してフック１５，１５を回動操作し、係止爪１７，１７とロック金具２１，２１の係合を解除し、図１にても示す様に蓋３を開成する事が出来る。
【００３０】
又、蓋３の閉成時には、取手１３を握って蓋３を下方に回転して閉じることで、ロック金具２１，２１がフック１５，１５の係止爪１７，１７に当接してスプリング１９の付勢に抗してフック１５，１５を回転させ、係止爪１７，１７を乗り越えてこの下側に位置して係合することで、簡単に蓋３を閉じることが出来る。
【００３１】
尚、上記フック１５，１５が上面板１８を貫通する貫通孔３６に、図示しないゴムパッキン等のシール材を装着することで、貫通孔３６からの水滴や異物の侵入を防止する事が出来るものである。
【図面の簡単な説明】
【００３２】
【図１】本発明の実施例を示す斜視図である。
【図２】同じく操作部を外した状態の要部を示す斜視図である。
【図３】同じく要部の実施例を示す斜視図である。
【図４】同じく要部の実施例を示す側面図である。
【図５】同じく要部の実施例を示す一部断面による斜視図である。
【図６】同じく動作を示す一部断面による斜視図である。
【符号の説明】
【００３３】
２    本体ケース
３    蓋
６    開口
７    チャンバー
１２  挿入溝
１３  取手
１４  摺動レバー
１５  フック
２５  電磁ソレノイド
２６  スライド板
２９  プランジャー軸
３０  係入孔
３２  レバー体
【図１】
0004562623.tif 000002
【図２】
0004562623.tif 000003
【図３】
0004562623.tif 000004
【図４】
0004562623.tif 000005
【図５】
0004562623.tif 000006
【図６】
0004562623.tif 000007